(57)【要約】【課題】読取信号レベル段差（ＦＬ差）の不具合と片側出力のみによる発熱の問題を解決する。【解決手段】受光画素列の各画素に蓄積された電荷を出力する光電変換素子列１７毎に設けられるものであって、当該光電変換素子列１７から出力される電荷が奇数番目の画素と偶数番目の画素とで画素出力の順序を光電変換素子列１７の先頭もしくは末尾に異ならせる複数のレジスタ１０ａ〜１０ｄと、各レジスタ１０ａ〜１０ｄの出力開始側にそれぞれ設けられる出力回路１６と、を備える。これにより、奇数番目、偶数番目で画素出力の順序を先頭からもしくは末尾からというように、お互いに異ならしめるとともに、それぞれの出力回路１６を出力開始側（すなわち、先頭および末尾）に設置させることになるので、読取信号レベル段差（ＦＬ差）の不具合と片側出力のみによる発熱の問題を解決することができる。【選択図】        図２
2008072495.tif 000002
【特許請求の範囲】
【請求項１】
受光画素列の各画素に蓄積された電荷を出力する光電変換素子列と、
前記光電変換素子列毎に設けられるものであって、当該光電変換素子列から出力される前記電荷が奇数番目の画素と偶数番目の画素とで画素出力の順序を前記光電変換素子列の先頭もしくは末尾に異ならせる複数のレジスタと、
前記各レジスタの出力開始側にそれぞれ設けられる出力回路と、
を備えることを特徴とする光電変換素子。
【請求項２】
前記光電変換素子列はモノクロ読み取り用に１ラインであり、前記複数のレジスタは奇数番目の画素と偶数番目の画素との２ＣＨタイプである、
ことを特徴とする請求項１記載の光電変換素子。
【請求項３】
前記光電変換素子列はカラー読み取り用に３ラインであり、前記複数のレジスタは奇数番目の画素を２分割したものと偶数番目の画素を２分割したものとの４ＣＨタイプである、
ことを特徴とする請求項１記載の光電変換素子。
【請求項４】
受光画素列の各画素に蓄積された電荷を出力する光電変換素子列と、前記光電変換素子列毎に設けられるものであって、当該光電変換素子列から出力される前記電荷が奇数番目の画素と偶数番目の画素とで画素出力の順序を前記光電変換素子列の先頭もしくは末尾に異ならせる複数のレジスタと、前記各レジスタの出力開始側にそれぞれ設けられる出力回路とを備える光電変換素子と、
前記光電変換素子からのアナログ画像信号をデジタル画像信号に変換する信号処理手段と、
奇数番目の画素または偶数番目の画素の何れか一方の出力について、前記信号処理手段により変換されたデジタル画像信号の順序を入れ替える順序入替手段と、
前記順序入替手段により順序を入れ替えられた奇数番目の画素または偶数番目の画素の何れか一方のデジタル画像信号および前記順序入替手段により順序を入れ替えられていない奇数番目の画素または偶数番目の画素の何れか一方のデジタル画像信号について画像処理を施す画像処理手段と、
を備えることを特徴とする画像読取装置。
【請求項５】
前記画像処理手段は奇数番目と偶数番目の２系統入力の構成となっており、
前記信号処理手段はＲＧＢ各２ｃｈ入力のものを２個備えていて、入力された奇数番目同士の２入力と偶数番目同士の２入力とをそれぞれマルチプレクス合成した後１出力とする、
ことを特徴とする請求項４記載の画像読取装置。
【請求項６】
奇数番目同士の２出力と偶数番目同士の２出力をそれぞれの前記信号処理手段の２入力端子に入力する際、１，５，９，・・・，ｎ−７，ｎ−３の番目端子とｎ，ｎ−４，・・・，１０，６，２の番目端子を前記各信号処理手段のマルチプレクス後で先に出力される入力端子に、３，７，１１，・・・，ｎ−５，ｎ−１の番目端子とｎ−２，ｎ−６，・・・，１２，８，４の番目端子を後に出力される入力端子に、それぞれ入力する、
ことを特徴とする請求項５記載の画像読取装置。
【請求項７】
前記順序入替手段により順序を入れ替えられていない奇数番目の画素または偶数番目の画素の何れか一方のデジタル画像信号の出力側に、画像データの遅延手段を備える、
ことを特徴とする請求項４ないし６の何れか一記載の画像読取装置。
【請求項８】
前記光電変換素子列はモノクロ読み取り用に１ラインであり、前記複数のレジスタは奇数番目の画素と偶数番目の画素との２ＣＨタイプである、
ことを特徴とする請求項４ないし７の何れか一記載の画像読取装置。
【請求項９】
前記光電変換素子列はカラー読み取り用に３ラインであり、前記複数のレジスタは奇数番目の画素を２分割したものと偶数番目の画素を２分割したものとの４ＣＨタイプである、
ことを特徴とする請求項４ないし７の何れか一記載の画像読取装置。
【請求項１０】
請求項４ないし９のいずれか一記載の画像読取装置と、
前記画像読取装置が読み取った画像データに従って画像を形成して出力する画像印刷装置と、
を備えることを特徴とする画像形成装置。
【発明の詳細な説明】
【技術分野】
【０００１】
本発明は、光電変換素子、画像読取装置および画像形成装置に関する。
【背景技術】
【０００２】
近年、従来以上に読取速度の速い画像読取装置への要望が高まっており、受光画素列の各画素に蓄積された電荷をＯＤＤとＥＶＥＮに分けて読み出すＯＤＤ／ＥＶＥＮ分離読出しタイプのリニアＣＣＤイメージセンサでは達成できない読取速度の実現が求められている。
【０００３】
このような状況下、ＯＤＤ／ＥＶＥＮ分離読出しタイプのリニアＣＣＤイメージセンサでの読取速度の２倍の読取速度を実現できるリニアＣＣＤイメージセンサとして、ＯＤＤ／ＥＶＥＮの分離読出しに加え、受光画素列の電荷をＦａｓｔ／Ｌａｓｔに分割して読み出す構造のリニアＣＣＤイメージセンサが提案されている（例えば、特許文献１参照）。このような特許文献１に開示されているＦａｓｔ／Ｌａｓｔ分割読出し方式のリニアＣＣＤイメージセンサにおいては、計４チャンネルの出力信号の各々の僅かなリニアリティの差により生じる読取信号レベル段差（ＦａｓｔとＬａｓｔの差：ＦＬ差）を補正するようにしている。
【０００４】
ところが、上述したような左右分割読出し方式のリニアＣＣＤイメージセンサには、ＦＬ差を補正するための回路と、ＦとＬの出力の順序を後段の処理回路に合わせて画素の並び替えをする回路とを設けなければならない。これらは汎用ＩＣではなくＡＳＩＣ（Application Specific Integrated Circuit）となるため、開発に時間とコストがかかり、単価も比較的高額となる。また、ＦＬ差補正の工程を市場で実施する場合、手間と時間がかかるという問題がある。さらに、治具チャートを用いる方法はチャートが汚れている場合などは逆方向に補正してしまう場合があり、結果的にきちんと補正できないばかりか、かえってＦＬ差を大きくしてしまう場合もある。
【０００５】
一方、他の方式としては、４ｃｈレジスタ間転送（垂直転送部構造）ＣＣＤイメージセンサがある（例えば、特許文献２参照）。このような特許文献２に開示されているＣＣＤイメージセンサによれば、４画素おきに１つのレジスタで出力しているので、左右分割読出し方式のリニアＣＣＤイメージセンサのようなＦＬ差という問題は生じない。
【０００６】
【特許文献１】特開２００２−２１８１８６号公報
【特許文献２】特開２０００−１８８６８６号公報
【発明の開示】
【発明が解決しようとする課題】
【０００７】
ところが、特許文献２に開示されている４ｃｈレジスタ間転送ＣＣＤイメージセンサにおいては、電力消費が大きな出力回路が片側に偏っていることから、発熱の偏りによる暗時出力不均一性が問題になる。暗時出力とは、光が全く当たらなくても電圧出力してしまうことをいう。すなわち、発熱が一部分に集中すると、暗時出力が画素位置で異なり、結果的に左右で読み取り画像の濃度が異なるという画質上の不具合が生じることになる。より詳細には、ＣＣＤには、黒補正用に光シールドしてあるＯＰＢ（OpticalBlack）画素が、出力開始側に何画素か設けられている。補正回路としては、ＯＰＢ画素の平均出力値を有効画素の出力値から差し引くものであるが、最近はデジタル変換後のデータを引き算することが多い。また、画素の感光部は、ＰＮ接合部なので熱によっても出力電圧が発生してしまうという性質を有している。すなわち、ＯＰＢ画素は出力開始側にあるので、出力回路のオペアンプなどによる発熱の影響を受け、暗時出力値は通常より大きくなってしまう。すると、減算する数値が大きすぎ、有効画素の出力値が適切でなくなってしまう。
【０００８】
本発明は、上記に鑑みてなされたものであって、読取信号レベル段差（ＦＬ差）の不具合と片側出力のみによる発熱の問題を解決することができる光電変換素子、画像読取装置および画像形成装置を提供することを目的とする。
【課題を解決するための手段】
【０００９】
上述した課題を解決し、目的を達成するために、請求項１にかかる発明の光電変換素子は、受光画素列の各画素に蓄積された電荷を出力する光電変換素子列と、前記光電変換素子列毎に設けられるものであって、当該光電変換素子列から出力される前記電荷が奇数番目の画素と偶数番目の画素とで画素出力の順序を前記光電変換素子列の先頭もしくは末尾に異ならせる複数のレジスタと、前記各レジスタの出力開始側にそれぞれ設けられる出力回路と、を備える。
【００１０】
また、請求項２にかかる発明は、請求項１記載の光電変換素子において、前記光電変換素子列はモノクロ読み取り用に１ラインであり、前記複数のレジスタは奇数番目の画素と偶数番目の画素との２ＣＨタイプである。
【００１１】
また、請求項３にかかる発明は、請求項１記載の光電変換素子において、前記光電変換素子列はカラー読み取り用に３ラインであり、前記複数のレジスタは奇数番目の画素を２分割したものと偶数番目の画素を２分割したものとの４ＣＨタイプである。
【００１２】
また、請求項４にかかる発明の画像読取装置は、受光画素列の各画素に蓄積された電荷を出力する光電変換素子列と、前記光電変換素子列毎に設けられるものであって、当該光電変換素子列から出力される前記電荷が奇数番目の画素と偶数番目の画素とで画素出力の順序を前記光電変換素子列の先頭もしくは末尾に異ならせる複数のレジスタと、前記各レジスタの出力開始側にそれぞれ設けられる出力回路とを備える光電変換素子と、前記光電変換素子からのアナログ画像信号をデジタル画像信号に変換する信号処理手段と、奇数番目の画素または偶数番目の画素の何れか一方の出力について、前記信号処理手段により変換されたデジタル画像信号の順序を入れ替える順序入替手段と、前記順序入替手段により順序を入れ替えられた奇数番目の画素または偶数番目の画素の何れか一方のデジタル画像信号および前記順序入替手段により順序を入れ替えられていない奇数番目の画素または偶数番目の画素の何れか一方のデジタル画像信号について画像処理を施す画像処理手段と、を備える。
【００１３】
また、請求項５にかかる発明は、請求項４記載の画像読取装置において、前記画像処理手段は奇数番目と偶数番目の２系統入力の構成となっており、前記信号処理手段はＲＧＢ各２ｃｈ入力のものを２個備えていて、入力された奇数番目同士の２入力と偶数番目同士の２入力とをそれぞれマルチプレクス合成した後１出力とする。
【００１４】
また、請求項６にかかる発明は、請求項５記載の画像読取装置において、奇数番目同士の２出力と偶数番目同士の２出力をそれぞれの前記信号処理手段の２入力端子に入力する際、１，５，９，・・・，ｎ−７，ｎ−３の番目端子とｎ，ｎ−４，・・・，１０，６，２の番目端子を前記各信号処理手段のマルチプレクス後で先に出力される入力端子に、３，７，１１，・・・，ｎ−５，ｎ−１の番目端子とｎ−２，ｎ−６，・・・，１２，８，４の番目端子を後に出力される入力端子に、それぞれ入力する。
【００１５】
また、請求項７にかかる発明は、請求項４ないし６の何れか一記載の画像読取装置において、前記順序入替手段により順序を入れ替えられていない奇数番目の画素または偶数番目の画素の何れか一方のデジタル画像信号の出力側に、画像データの遅延手段を備える。
【００１６】
また、請求項８にかかる発明は、請求項４ないし７の何れか一記載の画像読取装置において、前記光電変換素子列はモノクロ読み取り用に１ラインであり、前記複数のレジスタは奇数番目の画素と偶数番目の画素との２ＣＨタイプである。
【００１７】
また、請求項９にかかる発明は、請求項４ないし７の何れか一記載の画像読取装置において、前記光電変換素子列はカラー読み取り用に３ラインであり、前記複数のレジスタは奇数番目の画素を２分割したものと偶数番目の画素を２分割したものとの４ＣＨタイプである。
【００１８】
また、請求項１０にかかる発明の画像形成装置は、請求項４ないし９のいずれか一記載の画像読取装置と、前記画像読取装置が読み取った画像データに従って画像を形成して出力する画像印刷装置と、を備える。
【発明の効果】
【００１９】
請求項１にかかる発明によれば、奇数番目、偶数番目で画素出力の順序を先頭からもしくは末尾からというように、お互いに異ならしめるとともに、それぞれの出力回路を出力開始側すなわち、先頭および末尾に設置させたことで、読取信号レベル段差（ＦＬ差）の不具合と片側出力のみによる発熱の問題を解決することができる、という効果を奏する。
【００２０】
また、請求項２にかかる発明によれば、２ＣＨタイプの光電変換素子列において、読取信号レベル段差（ＦＬ差）の不具合と片側出力のみによる発熱の問題を解決することができる、という効果を奏する。
【００２１】
また、請求項３にかかる発明によれば、４ＣＨタイプの光電変換素子列において、読取信号レベル段差（ＦＬ差）の不具合と片側出力のみによる発熱の問題を解決することができる、という効果を奏する。
【００２２】
また、請求項４にかかる発明によれば、奇数番目、偶数番目で画素出力の順序を先頭からもしくは末尾からというように、お互いに異ならしめるとともに、それぞれの出力回路を出力開始側すなわち、先頭および末尾に設置させたことで、読取信号レベル段差（ＦＬ差）の不具合と片側出力のみによる発熱の問題を解決することができるとともに、奇数番目または偶数番目、すなわち先頭からまたは末尾からのいずれかの出力に対して、デジタ画像信号の順序を入れ替える順序入替手段を有することで、コストが少なくデジタル画像処理手段の入力インターフェース合わせることができる、という効果を奏する。
【００２３】
また、請求項５にかかる発明によれば、２入力でマルチプレクス合成後１出力の信号処理手段と、偶数番目、奇数番目の２系統入力のデジタル画像処理ＩＣを別途設けた画像読取装置において、奇数番目同士の２出力と、偶数番目同士の２出力をそれぞれ１つの信号処理手段に入力することで、読取信号レベル段差（ＦＬ差）の不具合と片側出力のみによる発熱の問題を解決することのほか、コストが少なくデジタル画像処理手段の入力インターフェース合わせることができる、という効果を奏する。
【００２４】
また、請求項６にかかる発明によれば、２入力でマルチプレクス合成後１出力の信号処理手段と、偶数番目、奇数番目の２系統入力のデジタル画像処理ＩＣを別途設けた画像読取装置において、奇数番目同士の２出力と、偶数番目同士の２出力をそれぞれ１つの信号処理手段に入力することで、読取信号レベル段差（ＦＬ差）の不具合と片側出力のみによる発熱の問題を解決することのほか、コストが少なくデジタル画像処理手段の入力インターフェース合わせることができる、という効果を奏する。
【００２５】
また、請求項７にかかる発明によれば、特に光電変換素子列が３ラインからなるカラーセンサにおいて、片側に出力回路が集中（各色４ＣＨの場合は１２出力）することを避けられるので、特に片側出力のみによる発熱の問題を解決することができる、という効果を奏する。
【００２６】
また、請求項８にかかる発明によれば、２ＣＨタイプの光電変換素子列において、読取信号レベル段差（ＦＬ差）の不具合と片側出力のみによる発熱の問題を解決することができる、という効果を奏する。
【００２７】
また、請求項９にかかる発明によれば、４ＣＨタイプの光電変換素子列において、読取信号レベル段差（ＦＬ差）の不具合と片側出力のみによる発熱の問題を解決することができる、という効果を奏する。
【００２８】
また、請求項１０にかかる発明によれば、読取信号レベル段差（ＦＬ差）の不具合と片側出力のみによる発熱の問題を解決することができる、という効果を奏する。
【発明を実施するための最良の形態】
【００２９】
以下に添付図面を参照して、この発明にかかる光電変換素子、画像読取装置および画像形成装置の最良な実施の形態を詳細に説明する。
【００３０】
［第１の実施の形態］
本発明の第１の実施の形態を図１ないし図６に基づいて説明する。本実施の形態は画像読取装置としてフラットベット型のイメージスキャナを適用した例である。
【００３１】
図１は、本発明の第１の実施の形態にかかるイメージスキャナ１の概略構成を示す縦断正面図である。図１に示すように、このイメージスキャナ１は、原稿２を載置するコンタクトガラス３と、原稿２の露光用のハロゲンランプ４及び第１反射ミラー５とからなる第１キャリッジ６と、第２反射ミラー７及び第３反射ミラー８からなる第２キャリッジ９と、イメージセンサであるカラーＣＣＤ（Charge Coupled Devices）１０と、カラーＣＣＤ１０に結像するためのレンズユニット１１と、シェーディング補正用の白基準板１２とを備えている。カラーＣＣＤ１０はセンサ基板１３上に設けられ、このセンサ基板１３は、ＣＣＤ１０が出力する画像信号に対して各種の信号処理を施す回路が搭載された信号処理基板１４と接続ケーブル１５で接続されている。信号処理基板１４には、アナログ信号処理ＩＣ２０、ＬＩＦＯ（Last in First out）回路２１、画像処理ＡＳＩＣ（Application Specific Integrated Circuit）２２（いずれも図３参照）などが搭載されている。ハロゲンランプ４、第１、第２、第３反射ミラー５，７，８及びレンズユニット１１は、走査光学系を構成する。なお、走査光学系としては、相対的なものであり、ミラー等が固定で原稿側が移動するタイプであってもよい。
【００３２】
ハロゲンランプ４は、白基準板１２やコンタクトガラス３の読取面に対してある角度で光を照射し、白基準板１２又は原稿２で反射した光は、第１、第２、第３反射ミラー５，７，８及びレンズユニット１１を経由してカラーＣＣＤ１０に入射する。カラーＣＣＤ１０は、入射光量に対応した電圧をアナログ画像信号として出力する。第１、第２キャリッジ６，９は、図示しないステッピングモータの駆動により、原稿２の読取面とカラーＣＣＤ１０との間の距離を一定に保ちながら副走査方向（矢印Ａ方向）に移動し、原稿２を露光走査する。
【００３３】
次に、本実施の形態のスキャナ装置１が備える特徴的な機能を発揮するカラーＣＣＤ１０について詳述する。ここで、図２はカラーＣＣＤ１０の構成を示す模式図、図３はその回路構成を示すブロック図である。
【００３４】
カラーＣＣＤ１０は、６００ｄｐｉで原稿サイズＡ３を読み取ることができるように、ＲＧＢの３ラインで各７３００の有効画素を持つ。そして、カラーＣＣＤ１０は、図２に示すように、各色の光電変換素子列であるセンサ部１７について上下４つのレジスタ１０ａ〜１０ｄを有している４ＣＨレジスタ間転送方式である。すなわち、カラーＣＣＤ１０のセンサ部１７で読み取られた画像信号の内、奇数番目画素はレジスタ１０ａ，１０ｃに交互に転送され、偶数番目画素はレジスタ１０ｂ，１０ｄに交互に転送される。図２における１６は各出力回路（アンプ）であり、出力１ｃｈ〜４ｃｈはそれぞれ出力回路（アンプ）に接続されているものとする。
【００３５】
ところで、本実施の形態の４ｃｈレジスタ間転送方式のカラーＣＣＤ１０は、従来の４ＣＨレジスタ間転送方式のカラーＣＣＤとは異なり、奇数番目の画素の画像信号は先頭側（図２では、左側）から、偶数番目の画素の画像信号は末尾側（図２では、右側）から、各出力回路（アンプ）を通って画素ごと出力される。
【００３６】
すなわち、出力１ｃｈは有効画素の１，５，９，・・・，７２９７番目を、出力２ｃｈは７２９８，・・・，１０，６，２番目を、出力３ｃｈは３，７，１１，・・・，７２９９番目を、出力４ｃｈは７３００，・・・，１２，８，４番目をそれぞれこの順に出力している。出力１ｃｈ〜４ｃｈは、図３のＣＣＤ出力順序（各色共通）と一致している。
【００３７】
本実施の形態のイメージスキャナ１は、図３に示すように、信号処理手段であるアナログ信号処理ＩＣ２０として、ＲＧＢ各２ｃｈ入力のものを２個（アナログ信号処理ＩＣ２０ａ，アナログ信号処理ＩＣ２０ｂ）備えている。アナログ信号処理ＩＣ２０（２０ａ，２０ｂ）は、チャンネルごとのゲイン調整と、２ｃｈ間の黒レベル合わせをして入力Ａ，Ｂをマルチプレクス合成した後のＡ／Ｄ変換とを実行する。これにより、アナログ信号処理ＩＣ２０（２０ａ，２０ｂ）は、各色１０ビットまたは８ビットのデジタルデータを入力Ａ１，Ｂ１，Ａ２，Ｂ２，・・・，Ａｎ，Ｂｎの順に出力する。なお、本実施の形態においては、アナログ信号処理ＩＣ２０（２０ａ，２０ｂ）にはＡ／Ｄ変換器を内蔵しているものとして説明したが、アナログ出力されたものに対してＡ／Ｄ変換器を別途設けるものでもよい。また、図３に示すように、画像処理手段である画像処理ＡＳＩＣ２２は、もともと高周波の画像処理に対応させるため、奇数番目と偶数番目の２系統入力の構成となっている。
【００３８】
ここで、図３に示すように、各色出力１ｃｈと出力３ｃｈ、出力２ｃｈと出力４ｃｈを組み合わせて１つのアナログ信号処理ＩＣ２０に入力し、出力１ｃｈと出力４ｃｈをＡに入力し、出力３ｃｈと出力２ｃｈをＢに入力し、さらに出力２ｃｈ，出力４ｃｈ側に順序入替手段であるＬＩＦＯ回路２１を設けることによって出力順序を反対にする。
【００３９】
ここで、図４はＬＩＦＯ回路２１の構成を示す模式図、図５はＬＩＦＯ回路２１における各種信号のタイミングチャートである。図５に示すように、ＣＣＤ出力のタイミングには有効画素以外（ＯＰＢ）に空送り部分もあるが、空送り部分は順序を変える必要はないので、有効画素の部分だけライトイネーブルWEBをLowとし、同時にリードイネーブルREBもLowにする。これにより、図５に示すＬＩＦＯ出力Doutのように１ラインの遅れは生じるが、有効画素の順序だけを入れ替えることができる。なお、空送り部分はライトもリードもされないので、出力不定となる。
【００４０】
このような構成により、画像処理ＡＳＩＣ２２の奇数入力系統に１，３，５，・・・，７２９９番目の画素データを、偶数入力系統に２，４，６，・・・，７３００番目の画素データをこの順で入力することができる。
【００４１】
このように本実施の形態によれば、奇数番目、偶数番目で画素出力の順序を先頭からもしくは末尾からというように、お互いに異ならしめるとともに、それぞれの出力回路を出力開始側すなわち、先頭および末尾に設置させたことで、読取信号レベル段差（ＦＬ差）の不具合と片側出力のみによる発熱の問題を解決することができる。
【００４２】
なお、本実施の形態においては、奇数番目を先頭から、偶数番目を末尾から出力するものとし、偶数番目（末尾から）を奇数番目（先頭から）に合わせるようにしているが、これに限るものではなく、偶数番目を先頭から、奇数番目を末尾から出力するものとしても良い。
【００４３】
また、本実施の形態においては、特に発熱に関する効果が大きいＲＧＢカラー４ＣＨのカラーＣＣＤ１０を例に説明したが、これに限るものではなく、モノクロＣＣＤでも同様である。図６は、モノクロＣＣＤ３０の構成を示す模式図である。この場合、光電変換素子列であるセンサ部３１はモノクロ読み取り用に１ラインのみであり、レジスタ３２は奇数番目画素と偶数番目画素の２ＣＨタイプである。１画素ごとセンサ部３１で読取られた画像信号は奇数、偶数番別に、図６中では上下に設けられたレジスタ３２に転送される。奇数番目の画素の画像信号は、先頭側（図６では、左側）から、偶数番目の画素の画像信号は、末尾側（図６では、右側）から、アンプ３３を通って画素ごと出力される。
【００４４】
［第２の実施の形態］
次に、本発明の第２の実施の形態を図７および図８に基づいて説明する。なお、前述した第１の実施の形態と同じ部分は同じ符号で示し説明も省略する。
【００４５】
図７は、本発明の第２の実施の形態にかかるカラーＣＣＤ１０の回路構成を示すブロック図である。図７に示すように、本実施の形態においては、ＬＩＦＯ回路２１を設けることによって出力順序を入れ替えたのとは別の出力側（ここでは奇数側）に、画像データの遅延回路２３を設けている。
【００４６】
ここで、遅延回路２３について説明する。図８は、遅延回路２３の構成を示す模式図である。図８に示すように、この遅延回路２３はラッチである。第１の実施の形態で説明したようにＬＩＦＯ回路２１においては順序入れ替えに１ラインの遅延が発生することから、ＬＩＦＯ回路２１を設けた側とは別の出力側（ここでは奇数側）に遅延回路２３を設けて１ラインだけ遅延させるようにしている。具体的には、図８に示すように、遅延回路２３（ラッチ）のCLK端子に図５で示したような１ラインの開始を示すＳＨ信号を入力している。これにより、Doutには１ライン遅延した画像信号が出力し、結果的に奇数側と偶数側のタイミングを合わせることができる。
【００４７】
このように本実施の形態によれば、特に光電変換素子列が３ラインからなるカラーセンサにおいて、片側に出力回路が集中（各色４ＣＨの場合は１２出力）することを避けられるので、特に片側出力のみによる発熱の問題を解決することができる。
【００４８】
［第３の実施の形態］
次に、本発明の第３の実施の形態を図９に基づいて説明する。なお、前述した第１の実施の形態または第２の実施の形態と同じ部分は同じ符号で示し説明も省略する。本実施の形態は、画像形成装置としてデジタル複写機５０への適用例を示す。
【００４９】
図９は、本発明の第３の実施の形態にかかるデジタル複写機５０の概略構成を示すブロック図である。このデジタル複写機５０は、前述した第１の実施の形態または第２の実施の形態のような構成のイメージスキャナ１と、このイメージスキャナ１で読み取ったデジタル画像データに基づいて用紙上に画像の形成を行う画像印刷装置であるプリンタ５１と、当該デジタル複写機５０を制御する制御部５２とからなる。
【００５０】
このような構成により、奇数番目、偶数番目で画素出力の順序を先頭からもしくは末尾からというように、お互いに異ならしめるとともに、それぞれの出力回路を出力開始側すなわち、先頭および末尾に設置させたことで、ＦＬ差の不具合と片側出力のみによる発熱の問題を解決することができる。
【００５１】
なお、プリンタ５１の印刷方式は、電子写真方式のほか、インクジェット方式、昇華型熱転写方式、銀塩写真方式、直接感熱記録方式、溶融型熱転写方式など種々の方式を用いることができる。
【図面の簡単な説明】
【００５２】
【図１】本発明の第１の実施の形態にかかるイメージスキャナの概略構成を示す縦断正面図である。
【図２】カラーＣＣＤの構成を示す模式図である。
【図３】その回路構成を示すブロック図である。
【図４】ＬＩＦＯ回路の構成を示す模式図である。
【図５】ＬＩＦＯ回路における各種信号のタイミングチャートである。
【図６】モノクロＣＣＤの構成を示す模式図である。
【図７】本発明の第２の実施の形態にかかるカラーＣＣＤの回路構成を示すブロック図である。
【図８】遅延回路の構成を示す模式図である。
【図９】本発明の第３の実施の形態にかかるデジタル複写機の概略構成を示すブロック図である。
【符号の説明】
【００５３】
１      画像読取装置
１０    光電変換素子
１０ａ〜１０ｄ      レジスタ
１６    出力回路
１７    光電変換素子列
２０    信号処理手段
２１    順序入替手段
２２    画像処理手段
３０    光電変換素子
３１    光電変換素子列
３２    レジスタ
３３    出力回路
５０    画像形成装置
５１    画像印刷装置
【図１】
2008072495.tif 000003
【図２】
2008072495.tif 000004
【図３】
2008072495.tif 000005
【図４】
2008072495.tif 000006
【図５】
2008072495.tif 000007
【図６】
2008072495.tif 000008
【図７】
2008072495.tif 000009
【図８】
2008072495.tif 000010
【図９】
2008072495.tif 000011